(57)【要約】【課題】従来の馬場状態の表示は、リアルタイム性が欠け、馬場状態の時間的推移が分からなかったため、初心者が馬場状態の予想をするのが難しかった。【解決手段】馬場状態表示制御装置は、馬場の現時点での水分量及び天候予測情報を取得する取得部と、現時点での水分量と天候予測情報とに基づいて馬場の将来の水分量を予測し、予測した馬場の水分量から将来の馬場状態を予測する予測部と、現時点までの馬場状態の推移と将来の馬場状態の予測結果とを出力する出力部と、を有している。これにより、初心者が馬場状態の把握及び今後の馬場状態の予測をし易くなることから、競馬へ参加する初心者が増加し、主催者側の売上アップにつながる。【選択図】図１
2015103022.tif 000002
【特許請求の範囲】
【請求項１】
馬場の現時点での水分量及び天候予測情報を取得する取得部と、
前記現時点での水分量と前記天候予測情報とに基づいて前記馬場の将来の水分量を予測し、予測した前記馬場の水分量から将来の馬場状態を予測する予測部と、
現時点までの馬場状態の推移と前記将来の馬場状態の予測結果とを出力する出力部と、
を有することを特徴とする馬場状態表示制御装置。
【請求項２】
前記予測部における前記将来の馬場状態の予測結果は、
芝とダートとに応じた予測結果であることを特徴とする請求項１に記載の馬場状態表示制御装置。
【請求項３】
馬場の水分量を測定する水分量測定器と、
天候予測情報を提供する天候予測情報提供装置と、
前記水分量測定器により測定された現時点での馬場の水分量と前記天候予測情報提供装置から提供された天候予測情報に基づいて、将来の馬場の水分量を予測し、前記現時点での馬場の水分量と予測した前記将来の馬場の水分量とから将来の馬場状態を予測し、前記現時点での水分量及び前記将来の馬場状態の予測結果を出力する馬場状態表示制御装置と、
前記馬場状態表示制御装置から入力される前記現時点での水分量及び前記将来の馬場状態の予測結果を時系列に表示する表示手段と、
を備えたことを特徴とする馬場状態表示システム。
【請求項４】
前記表示手段は、
レース当日の朝から現在時刻までの馬場の水分量を時系列に表示すると共に、レース終了時刻までの馬場の水分量の予測値を時系列に表示することを特徴とする請求項３に記載の馬場状態表示システム。
【請求項５】
前記表示手段は、更に、
レース当日のレース開始からレース終了までの時刻に応じた天候予測情報を時系列に表示することを特徴とする請求項３又は４に記載の馬場状態表示システム。
【請求項６】
馬場の現時点での水分量を示す水分量データを取得する第１処理と、
前記水分量データにより馬場状態を判定する第２処理と、
降水確率を含む天候予測情報を取得する第３処理と、
前記降水確率から水分量補正値を算出する第４処理と、
前記現時点の水分量と前記水分量補正値とから馬場の将来の水分量を予測する第５処理と、
を有することを特徴とする馬場状態予測方法。
【請求項７】
前記第４処理により算出される前記水分量補正値は、芝とダートとに応じた補正値であることを特徴とする請求項６に記載の馬場状態予測方法。
【請求項８】
前記第２処理における馬場状態の判定条件及び前記第４処理における算出条件は、
現行の開催執務委員による馬場状態の判定結果に基づいて定期的に変更されることを特徴とする請求項６に記載の馬場状態予測方法。
【発明の詳細な説明】
【技術分野】
【０００１】
本発明は、馬場状態表示制御装置、馬場状態表示システム及び馬場状態予測方法に関する。
【背景技術】
【０００２】
従来、馬場状態の表示は、開催執務委員が一定間隔で馬場を徒歩で観測し、判定基準に基づいて４段階（良、稍重、重、不良）に区分して発表、その結果を表示装置に手で入力して行っていた。
【０００３】
本発明に関連する文献には、下記特許文献１、２がある。特許文献１には、競技場の天候を記憶し、レース結果の予想困難性を表示する画面上に競技場の天候を表示することが記載されている。又、特許文献２には、土壌の複数の位置に埋設された水分センサにより測定された水分の測定値に応じて、一定時間水を供給することで、土壌に対して給水する技術が記載されている。
【先行技術文献】
【特許文献】
【０００４】
【特許文献１】特開２０１２−１６０００５号公報
【特許文献２】特開２００６−３４５７６１号公報
【発明の概要】
【発明が解決しようとする課題】
【０００５】
しかしながら、従来の馬場状態の表示では、以下の（ａ）〜（ｃ）のような課題があった。
【０００６】
（ａ）開催執務委員が一定間隔の観測に基づく判定し、その結果を手で入力して馬場状態を表示していたため、馬場状態の表示のリアルタイム性に欠ける。
【０００７】
（ｂ）観測タイミングに限った馬場状態の表示であるため、その日の朝からの馬場状態推移状況がわからず、今後の馬場状態予測ができない。
【０００８】
（ｃ）４段階の判定では、各段階に幅があり、今後の馬場状態の予測が立て難い。
そこで、本発明は、当日朝からの馬場状態の推移が一目で分かるようにし、更に、今後の馬場状態推移の予想をファンに提供することで、初心者にも今後の馬場状態の予測をし易くした馬場状態自動表示装置、及び馬場状態自動表示システムを提供することを目的とする。
【課題を解決するための手段】
【０００９】
本発明の内の第１発明の馬場状態表示制御装置は、馬場の現時点での水分量及び天候予測情報を取得する取得部と、前記現時点での水分量と前記天候予測情報とに基づいて、前記馬場の将来の水分量を予測し、予測した前記馬場の水分量から将来の馬場状態を予測する予測部と、現時点までの馬場状態の推移と前記将来の馬場状態の予測結果とを出力する出力部と、を有することを特徴とする。
【００１０】
第２発明の馬場状態表示システムは、馬場の水分量を測定する水分量測定器と、天候予測情報を提供する天候予測情報提供装置と、前記水分量測定器により測定された現時点での馬場の水分量と前記天候予測情報提供装置から提供された天候予測情報に基づいて、将来の馬場の水分量を予測し、前記現時点での馬場の水分量と予測した前記将来の馬場の水分量とから将来の馬場状態を予測し、前記現時点での水分量及び前記将来の馬場状態の予測結果を出力する馬場状態表示制御装置と、前記馬場状態表示制御装置から入力される前記現時点での水分量及び前記将来の馬場状態の予測結果を時系列に表示する表示手段と、を備えたことを特徴とする。
【００１１】
第３発明の馬場状態予測方法は、馬場の現時点での水分量を示す水分量データを取得する第１処理と、前記水分量データにより馬場状態を判定する第２処理と、降水確率を含む天候予測情報を取得する第３処理と、前記降水確率から水分量補正値を算出する第４処理と、前記現時点の水分量と前記水分量補正値とから馬場の将来の水分量を予測する第５処理と、を有することを特徴とする。
【発明の効果】
【００１２】
本発明によれば、初心者が馬場状態の把握及び今後の馬場状態の予測をし易くなることから、競馬へ参加する初心者が増加し、主催者側の売上アップにつながる。
【図面の簡単な説明】
【００１３】
【図１】本実施形態における馬場状態表示システムの全体構成を示す図である。
【図２】従来の馬場状態表示システムの全体構成を示す図である。
【図３】図１中の馬場状態表示制御装置１０の機能ブロック図である。
【図４】従来の馬場状態表示システムの処理を示すフローチャートである。
【図５】水分量と馬場状態との関係を示す図である。
【図６】本実施形態の馬場状態表示システムの処理を示すフローチャートである。
【図７】図６中の制御アプリケーションの処理のフローチャートである。
【図８】（ａ）判定条件の例と、（ｂ）算出条件の例と、を示す図である。
【図９】図１中の場内モニタ２０の表示例を示す図である。
【発明を実施するための形態】
【００１４】
以下に本発明の実施形態について図面を参照しながら詳細に説明する。
（実施形態の構成）
図１は、本実施形態における馬場状態表示システムの全体構成を示す図であり、図２は、従来の馬場状態表示システムの全体構成を示す図であり、更に、図３は、図１中の馬場状態表示制御装置１０の機能ブロック図である。図１及び図２において、共通の要素には共通の符号が付されている。
【００１５】
先ず、図２に基づいて、従来の馬場状態表示システムの全体構成を説明する。
図２において、従来の馬場状態表示システムは、表示制御装置１０Ａの入力側には、係員が現在の馬場状態を入力する馬場状態入力操作卓１が接続され、出力側には場内映像設備１５を介して場内モニタ２０Ａと、着順表示装置３０とが接続されて構成されている。
【００１６】
馬場状態入力操作卓１は、開催執行委員が手動で計測した水分量を判定条件に基づき４段階（良、稍重、重、不良）に区分して発表する馬場状態を、係員が手入力する操作卓である。表示制御装置１０Ａは、馬場状態入力操作卓１から入力された馬場状態の情報を処理して、場内映像設備１５及び着順表示装置３０へ出力するものである。
【００１７】
場内映像設備１５は、表示制御装置１５から入力された情報を編集して場内モニタ２０Ａへ出力するものである。場内モニタ２０Ａは、レース結果や判定写真等を表示すると共に、現在の馬場状態を表示するものであり、例えば、『午後２時の馬場状態は「良」馬場です。』といった馬場状態の表示を行う。
【００１８】
着順表示装置３０は、レースの着順、例えば、「着順１−２」及び馬場状態、例えば、「馬場状態：良」を表示する装置である。従来の馬場状態表示システムにおける場内モニタ２０Ａ及び着順表示装置３０は、現在の馬場状態のみを表示していた。その結果、現時点までの馬場状態の推移が分からず、将来の馬場状態の予測は、ファンの経験に依存することになり、初心者には予想し難かった。
【００１９】
次に、図１に基づいて、本実施形態における馬場状態表示システムの全体構成を説明する。
【００２０】
図１において、本実施形態の馬場状態表示システムは、従来のシステムを示す図２とは異なる馬場状態表示制御装置１０を備え、その入力側には、図２と同様の馬場状態入力操作卓１に加え、新たに水分量測定器２及び天候予測情報提供装置３とが接続されている。
【００２１】
水分量測定器２は、競馬場の馬場の所定の位置に設置され、水分量を測定し、測定した水分量の情報を馬場状態表示制御装置１０へ出力するものである。天候予測情報提供装置３は、インターネット等からレースが行われている地域の天候情報を取得し、取得した天候予測情報を馬場状態表示制御装置１０へ出力するものである。
【００２２】
馬場状態表示制御装置１０の出力側には、図２と同様の場内映像設備１５を介して図２とは異なる場内モニタ２０と、図２と同様の着順表示装置３０とが接続されて構成されている。場内モニタ２０は、図２に示された場内モニタ２０Ａとは異なり、レース当日の朝から現時点までの水分量の推移と、レース終了時刻までの予測水分量を表示するものである。着順表示装置３０は、図２に示されたものと同様である。
【００２３】
図３は、図１中の馬場状態表示制御装置１０の機能ブロック図である。
図３において、馬場状態表示制御装置１０は、馬場の現在時刻の水分量及び天候予測情報を取得する取得部１１と、現時点での水分量と天候予測情報とに基づいて馬場の将来の水分量を予測し、予測した馬場の水分量から将来の馬場状態を予測する予測部１２と、現時点までの馬場状態の推移と将来の馬場状態の予測結果とを出力する出力部１３と、を有している。出力部１３の出力信号は、場内映像設備１５を介して場内モニタ２０及び着順表示装置３０へそれぞれ出力される。
【００２４】
本実施形態の馬場状態表示システムにおける場内モニタ２０は、図１に示されているように、レース当日の朝から現時点までの水分量の推移と、レース終了時刻までの予測水分量を表示するので、初心者にも将来の馬場状態の予想が容易になる。
【００２５】
（実施形態の動作）
本実施形態の馬場状態表示システムの動作について、（Ｉ）従来の馬場状態表示システムの動作と、（II）本実施形態の馬場状態表示システムの全体動作と、（III）制御アプリケーションの詳細な処理と、に分けて説明する。
【００２６】
（Ｉ）従来の馬場状態表示システムの動作
図４は、従来の馬場状態表示システムの処理を示すフローチャートであり、図５は、水分量と馬場状態との関係を示す図である。
【００２７】
図２及び図５を参照しつつ、図４のフローチャートに沿って、従来の馬場状態表示システムの動作を説明する。
【００２８】
図４において、処理が開始されると、ステップＳ１へ進み、開催執務委員は、馬場の水分量を計測し、ステップＳ２へ進む。ステップＳ２において、開催執務委員は、計測した水分量と、図５に示された水分量と馬場状態の関係とから馬場状態を判定して、馬場状態を発表すると、ステップＳ３へ進む。図５において、例えば、水分量２３％であれば、「良」馬場と判定し、水分量３０％であれば、「重」馬場と判定される。
【００２９】
ステップＳ３において、係員は、馬場状態入力操作卓１から発表された馬場状態を入力し、ステップＳ４へ進む。ステップＳ４において、表示制御装置１０Ａ中の制御部の制御アプリケーションは、馬場状態を示すデータを受信し、ステップＳ５へ進む。ステップＳ５において、表示制御装置１０Ａ中の制御部の制御アプリケーションは、場内モニタ２０Ａ及び着順表示装置３０へ馬場状態を表示するためのコンテンツを作成し、ステップＳ６及びステップＳ７へ進む。
【００３０】
ステップＳ６において、着順表示装置３０は、例えば、図２に示されたように、「馬場状態：良」を表示して処理を終了する。ステップＳ７において、場内映像設備１５は、ステップＳ５で作成された映像を受信すると、場内モニタ２０Ａ用に編集した信号を出力し、ステップＳ８へ進み、ステップＳ８において、場内モニタ２０Ａは、例えば、図２に示されたように、『午後２時の馬場状態は、「良」馬場です。』のように、現在の馬場状態を表示し、処理を終了する。
【００３１】
図４に示されたフローチャートにおいて、破線で示されたステップＳ１〜Ｓ３は、開催執務委員及び係員が表示制御装置１０Ａによらず、自ら行う処理である。又、図２に示されているように、場内モニタ２０Ａ及び着順表示装置３０に表示される馬場状態は、現在時刻の馬場状態のみである。そのため、馬場状態の推移の予測は、ファンの経験に依存することになり、初心者には予想し難かった。
【００３２】
（II）本実施形態の馬場状態表示システムの全体動作
図６は、本実施形態の馬場状態表示システムの処理を示すフローチャートである。
【００３３】
処理が開始されると、ステップＳ１１へ進み、ステップＳ１１において、馬場に設定された水分量計測器２は、計測した馬場の水分量を編集したデータを馬場状態表示制御装置１０に送出し、ステップＳ１２へ進む。ステップＳ１２において、天候予測情報装置３は、インターネット等から取得した天候予測情報の内の必要な情報を抽出、編集したデータを馬場状態表示制御装置１０に送出し、ステップＳ１３へ進む。
【００３４】
ステップＳ１３において、馬場状態表示制御装置１０内の制御部の制御アプリケーションは、ステップＳ１１及びＳ１２で送出されたデータを受信し、ステップＳ１４へ進む。ステップＳ１４において、馬場状態表示制御装置１０内の制御部の制御アプリケーションは、水分量と天候予測情報とに基づいて、馬場状態を自動判定し、ステップＳ１５へ進む。ステップＳ１５において、馬場状態表示制御装置１０内の制御部の制御アプリケーションは、場内モニタ２０及び着順表示装置３０へ馬場状態を表示するためのコンテンツを作成し、ステップＳ１６及びステップＳ１７へ進む。
【００３５】
ステップＳ１６において、着順表示装置３０は、例えば、図１に示されたように、「馬場状態：良」を表示して処理を終了する。ステップＳ１７において、場内映像設備１５は、ステップＳ１５で作成された映像を受信すると、場内モニタ２０へ映像を配信し、ステップＳ１８へ進み、ステップＳ１８において、場内モニタ２０は、例えば、図１に示されたように、レース日の朝から現時点までの水分量の推移と、将来の予測水分量とを時系列に表示し、処理を終了する。そのため、初心者にも将来の馬場状態の予想が容易になる。
【００３６】
（III）制御アプリケーションの詳細な処理
図７は、図６中の制御アプリケーションの処理のフローチャートであり、図８（ａ）は、判定条件の例を示す図であり、図８（ｂ）は、算出条件の例を示す図である。
【００３７】
図７において、制御アプリケーションの処理が開始されると、ステップＳ２１へ進む。ステップＳ２１において、水分量データを取得し、ステップＳ２２へ進む。
【００３８】
ステップＳ２２において、水分量が２５％未満か否かを判定し、水分量が２５％未満であれば（Ｙｅｓ）、ステップＳ２３へ進み、水分量が２５％未満でなければ（Ｎｏ）、ステップＳ２４へ進む。ステップＳ２３において、時刻及び馬場状態「良」をセットし、ステップＳ２９へ進む。
【００３９】
ステップＳ２４において、水分量が２５％以上３０％未満か否かを判定し、水分量が２５％以上３０％未満であれば（Ｙｅｓ）、ステップＳ２５へ進み、水分量が２５％以上３０％未満でなければ（Ｎｏ）、ステップＳ２６へ進む。ステップＳ２５において、時刻及び馬場状態「稍重」をセットし、ステップＳ２９へ進む。
【００４０】
ステップＳ２６において、水分量が３０％以上３５％未満か否かを判定し、水分量が３０％以上３５％未満であれば（Ｙｅｓ）、ステップＳ２７へ進み、水分量が３０％以上３５％未満でなければ（Ｎｏ）、ステップＳ２８へ進む。ステップＳ２７において、時刻及び馬場状態「重」をセットし、ステップＳ２９へ進む。
【００４１】
ステップＳ２８において、時刻及び馬場状態「不良」をセットし、ステップＳ２９へ進む。ステップＳ２２、Ｓ２４、Ｓ２６における判定条件の例が、図８（ａ）に示されている。図８（ａ）に示された馬場状態と水分量との関係は、開催執行委員が判定した馬場状態と水分量の関係に基づいて決定され、図８（ａ）における馬場状態と水分量との関係と、開催執行委員が判定した馬場状態と水分量の関係との相関関係について、所定期間毎に見直すことが望ましい。
【００４２】
ステップＳ２９において、天候予測情報を取得し、ステップＳ３０へ進む。ステップＳ３０において、図８（ｂ）に示された算出条件に基づいて、降水確率から水分量補正値を算出し、ステップＳ３１へ進む。図８（ｂ）において、例えば、将来のある時刻の降水確率が、８０％であれば、芝における補正値は＋０．６％、ダートにおける補正値は＋０．７％である。図８（ｂ）に示された算出条件における芝及びダートの補正値は、開催執務委員が、競馬場毎に、永年の経験から決定しておくことが望ましい。
【００４３】
ステップＳ３１において、ステップＳ２１で取得した現在時刻の水分量に、ステップＳ３０で算出された将来のある時刻の水分量補正値を加算した値により、将来のある時刻の水分量を作成し、ステップＳ３２へ進む。例えば、現在の時刻午後２時の水分量が２４％であり、時刻午後４時の降水確率が１００％である場合、ダートの補正値は＋１．１％であるので、午後４時の水分量は２５．１％となり、図８（ａ）に示された判定条件から、馬場状態は「稍重」となる。
【００４４】
ステップＳ３２において、現在の水分量に、将来の時刻毎の降水確率から算出された水分量補正値を加算した値を線で結ぶことにより、馬場状態実績/予測画面を作成し、ステップＳ３３へ進む。ステップＳ３３において、馬場状態実績/予測画面を場内モニタ２０へ出力し、処理を終了する。場内モニタ２０は、馬場状態実績/予測画面を表示する。
【００４５】
図９は、図１中の場内モニタ２０の表示例を示す図である。
図９に示された表示画面の例では、画面中央に表示された現在時刻１２：００に対し、左側には、計測結果に基づく馬場状態の実績が表示され、右側には、将来の予測結果が表示されている。図９に示された表示画面の上部には、時刻に対応する天候情報も表示されている。
【００４６】
場内モニタ２０に表示された水分量の予測値と、天候予測情報とを参考にして、初心者のファンも、自分が投票を希望しているレースの時刻における馬場状態を予測することができる。
【００４７】
本実施形態の説明で、図３に馬場状態表示制御装置１０の機能ブロック図を示したが、図３に示された馬場状態表示制御装置１０の機能ブロックは、ハードウェアで実現しても良いし、コンピュータ上で実行されるソフトウェアにより実現しても良い。
【００４８】
図９に示された場内モニタ２０の表示例では、現在時刻が中央に表示されているが、場内モニタ２０の画面上の現在時刻の表示位置は、時刻の経過と共に左から右方向へ移動するようにしても良い。
【００４９】
更に、図９に示された場内モニタ２０の表示に、図２中の場内モニタ２０Ａに表示されているような現在時刻における開催執行委員の判定した馬場状態の表示を併記する表示にしても良い。そのようにすれば、現在の公式発表の馬場状態と、現在時刻までの水分量の実績と、将来の水分量の予測値とが同一画面で見ることができるので、将来の馬場状態の予測がより容易になる。
【００５０】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００５１】
１              馬場状態入力操作卓
２              水分量測定器
３              天候予測情報提供装置
１０、１０Ａ      馬場状態表示制御装置
１５              場内映像設備
２０、２０Ａ      場内モニタ
３０              着順表示装置
【図３】
2015103022.tif 000003
【図４】
2015103022.tif 000004
【図５】
2015103022.tif 000005
【図６】
2015103022.tif 000006
【図７】
2015103022.tif 000007
【図８】
2015103022.tif 000008
【図９】
2015103022.tif 000009
【図１】
2015103022.tif 000010
【図２】
2015103022.tif 000011